(57)【特許請求の範囲】
【請求項１】
表示画面を有する表示部及び当該表示部においてユーザーが操作した位置を検出する操作位置検出部を有する表示入力部と、
複数の操作子を有する操作画面を前記表示部の表示画面に表示させる表示制御部と、
前記複数の操作子の配列がそれぞれ異なる複数の操作画面を予め記憶し、前記複数の操作画面に関する画像データをユーザーと関連付けて前記複数の操作画面のうちの一つの操作画面に複数のユーザーを割り当てて記憶する画像データ記憶部と、
ユーザーを判別するユーザー判別部と、
前記ユーザー判別部で判別されたユーザーと関連付けられた前記操作画面に関する画像データを前記画像データ記憶部から取得し、取得した前記操作画面に関する画像データを前記表示部の表示画面で表示させるように前記表示制御部を制御する操作画面変更制御部と、
を備える表示入力装置。
【請求項２】
前記画像データ記憶部に記憶された複数の前記操作画面に関する画像データにおいて、ユーザーによる操作の頻度が高いと予想される操作子は、それぞれ平面視で重ならない位置に配置されている、
請求項１に記載の表示入力装置。
【請求項３】
前記ユーザーによる操作の頻度が高いと予想される操作子は、印刷開始ボタンである
請求項２に記載の表示入力装置。
【請求項４】
前記画像データ記憶部に記憶された複数の前記操作画面に関する画像データにおいて、画面を切り替えるために操作される操作子は、前記操作画面の上辺、下辺、右辺又は左辺のいずれかの辺に沿って配置される、
請求項１から３のいずれかに記載の表示入力装置。
【発明の詳細な説明】
【技術分野】
【０００１】
本発明は、タッチパネル等の操作位置検出部を備えた表示入力装置に関する。
【背景技術】
【０００２】
近年、複写機、プリンター、ファクシミリ等において、操作部にタッチパネルを用いた機種が増えている。タッチパネルは、表示装置の上に設けられた透明な位置検出装置である。ユーザーは、表示装置の画面上に表示されたボタンをタッチパネル越しに押すことにより、そのボタンに対応する操作を機器に指示することができる。
【０００３】
タッチパネルにおいては、同じ箇所が繰り返し押されると、その部分が故障しやすくなる。そこで、使用頻度の高いキーの位置を使用頻度に応じて変更することができる表示装置が提案されている（特許文献１参照）。また、使用頻度の高いボタンの位置を所定時間毎に変更するようにした電子機器が提案されている（特許文献２参照）。
【先行技術文献】
【特許文献】
【０００４】
【特許文献１】特開平８−１６２９９号公報
【特許文献２】特開２００２−２９７３１６号公報
【発明の概要】
【発明が解決しようとする課題】
【０００５】
上記特許文献１及び２に記載された装置では、使用頻度や時間経過によりボタンの配置が自動的に変更される。しかし、ボタンの配置がある時点で急に変更されると、ユーザーは、押し慣れた位置でボタンを操作できなくなるため、ボタンの操作性が悪くなる。
【０００６】
本発明は、タッチパネル等の操作位置検出部の故障を抑制しつつ、ボタン（操作子）の操作性に優れた表示入力装置を提供することを目的とする。
【課題を解決するための手段】
【０００７】
本発明は、表示画面を有する表示部及び当該表示部においてユーザーが操作した位置を検出する操作位置検出部を有する表示入力部と、少なくとも一つの操作子からなる操作画面を前記表示部の表示画面に表示させる表示制御部と、前記操作子の位置がそれぞれ異なる複数の操作画面に関する画像データをユーザーと関連付けて記憶する画像データ記憶部と、ユーザーを判別するユーザー判別部と、前記ユーザー判別部で判別されたユーザーと関連付けられた前記操作画面に関する画像データを前記画像データ記憶部から取得し、取得した前記操作画面に関する画像データを前記表示部の表示画面で表示させるように前記表示制御部を制御する操作画面変更制御部と、を備える表示入力装置に関する。
【０００８】
また、表示入力装置は、前記画像データ記憶部に記憶された複数の前記操作画面に関する画像データにおいて、ユーザーによる操作の頻度が高いと予想される操作子は、それぞれ平面視で重ならない位置に配置されることが好ましい。
【０００９】
また、表示入力装置は、前記画像データ記憶部に記憶された複数の前記操作画面に関する画像データにおいて、画面を切り替えるために操作される操作子は、前記操作画面の上辺、下辺、右辺又は左辺のいずれかの辺に沿って配置されることが好ましい。
【発明の効果】
【００１０】
本発明によれば、タッチパネル等の操作位置検出部の故障を抑制しつつ、ボタンの操作性に優れた表示入力装置を提供することができる。
【図面の簡単な説明】
【００１１】
【図１】実施形態におけるプリンター１の全体構成を説明するための図である。
【図２】プリンター１の機能的な構成を示すブロック図である。
【図３】表示部５０に表示される操作画面１１０の一例を示す図である。
【図４】ユーザー毎に設定された操作画面１１０Ａ〜１１０Ｄを示す図である。
【図５】制御部９０が操作画面の切り替えを行う場合の動作を示すフローチャートである。
【発明を実施するための形態】
【００１２】
以下、図面を参照して、本発明に係る表示入力装置を備えたプリンターの実施形態について説明する。まず、プリンター１の全体構成について説明する。図１は、本実施形態におけるプリンター１の全体構成を説明するための図である。
【００１３】
プリンター１は、用紙搬送部１０と、画像形成部２０と、定着部３０と、を備える。
用紙搬送部１０は、第１送りローラー１１と、第２送りローラー１２と、レジストローラー対１３と、第１ローラー対１４と、第２ローラー対１５と、用紙排出部１６と、を備える。また、用紙Ｔが搬送される搬送路Ｌは、第１送りローラー１１又は第２送りローラー１２から画像形成部２０（後述する転写ニップＮ）までの第１搬送路Ｌ１と、画像形成部２０（後述する転写ニップＮ）から定着部３０までの第２搬送路Ｌ２と、定着部３０から用紙排出部１６までの第３搬送路Ｌ３と、定着部３０から排出された用紙Ｔをレジストローラー対１３に戻す第４搬送路Ｌ４と、を備える。
【００１４】
第１送りローラー１１は、給紙カセット１７に収容される用紙Ｔ（被転写材）を第１搬送路Ｌ１に供給する。第２送りローラー１２は、手差トレイ１８に載置される用紙Ｔ（被転写材）を第１搬送路Ｌ１に供給する。レジストローラー対１３は、第１搬送路Ｌ１を搬送されてきた用紙Ｔを感光体ドラム２１と転写ローラー２８との間に形成される転写ニップＮに供給して、感光体ドラム２１に形成されたトナー画像を用紙Ｔに転写させるために、用紙Ｔの搬送又は用紙Ｔの搬送停止を行う。
【００１５】
また、レジストローラー対１３は、用紙Ｔのスキュー（斜め給紙）補正を行う。第１ローラー対１４は、第３搬送路Ｌ３に設けられ、定着部３０から排出された用紙Ｔを用紙排出部１６側に搬送する。第２ローラー対１５は、第１ローラー対１４により用紙排出部１６側に搬送された用紙Ｔを第４搬送路Ｌ４に搬入させる。用紙排出部１６は、トナー画像が定着された用紙Ｔをプリンター１の外部に排出する。用紙排出部１６におけるプリンター１の外側には、排紙集積部１９が形成される。排紙集積部１９には、用紙排出部１６から排出された用紙Ｔが積層して集積される。
【００１６】
画像形成部２０は、トナー画像を形成するためのものであり、感光体ドラム２１と、帯電部２２と、レーザースキャナーユニット２３と、現像器２４と、除電器２５と、クリーニング部２６と、トナーカートリッジ２７と、転写ローラー２８と、を備える。
【００１７】
感光体ドラム２１は、トナー画像を形成するために、感光体又は像担持体として機能する。感光体ドラム２１の周囲には、感光体ドラム２１の回転方向に沿って上流側から下流側へ順に、帯電部２２と、レーザースキャナーユニット２３と、現像器２４と、クリーニング部２６とが配置される。帯電部２２は、感光体ドラム２１の表面を帯電させる。レーザースキャナーユニット２３は、感光体ドラム２１の表面から離れて配置され、外部に配置される外部機器（例えば、パーソナルコンピューター等）により送信された画像データに基づいて感光体ドラム２１の表面を走査露光する。これにより、感光体ドラム２１の表面には、露光された部分の電荷が除去されて静電潜像が形成される。
【００１８】
現像器２４は、感光体ドラム２１の表面に形成された静電潜像にトナーを付着させてトナー画像を形成する。除電器２５は、感光体の表面に光を照射することにより、転写が行われた後の感光体ドラム２１の表面を除電する（電荷を除去する）。クリーニング部２６は、除電器２５によって感光体ドラム２１の表面が除電された後のその表面に残るトナー等を除去する。トナーカートリッジ２７は、現像器２４に供給されるトナーを収容する。トナーカートリッジ２７と現像器２４とは、トナー供給路（図示せず）により接続されている。転写ローラー２８は、感光体ドラム２１との間に用紙Ｔを挟み込むことにより、感光体ドラム２１の表面に形成されたトナー画像を用紙Ｔに転写させる。
【００１９】
定着部３０は、加熱回転体３１と、加圧回転体３２と、を備える。加熱回転体３１と加圧回転体３２とは、トナー画像が転写された用紙Ｔを挟み込んで、トナーを溶融及び加圧し、そのトナーを用紙Ｔに定着させる。
【００２０】
次に、プリンター１の機能的な構成について説明する。図２は、プリンター１の機能的な構成を示すブロック図である。図３は、表示部５０に表示される操作画面１１０の一例を示す図である。図４は、ユーザー毎に設定された操作画面１１０Ａ〜１１０Ｄを示す図である。
【００２１】
図２に示すように、プリンター１は、上述した構成要素（用紙搬送部１０、画像形成部２０及び定着部３０）を備える。また、プリンター１は、上述した構成要素に加えて、表示入力部としてのユーザーインターフェース部４０と、通信部７０と、記憶部８０と、制御部９０と、を備える。なお、図１を用いて説明した構成要素については、その説明を省略する。
【００２２】
ユーザーインターフェース部（以下、「ＵＩ部」という）４０は、表示部５０と、操作位置検出部としてのタッチパネル６０と、を備える。
表示部５０は、表示画面１００（後述）を有する液晶表示パネルにより構成される。図３に示すように、表示画面１００には、複数のボタン（操作子）１０１〜１０５、及びタブ領域１０６を有する操作画面１１０が表示される。
【００２３】
本実施形態の操作画面１１０には、図３に示すように、印刷開始ボタン１０１、印刷停止ボタン１０２、印刷部数増減ボタン１０３、倍率変更ボタン１０４、及び濃度変更ボタン１０５が表示される。また、操作画面１１０の一辺には、タブ領域１０６が表示される。
【００２４】
タブ領域１０６は、複数のタブを一覧的に並べた領域である。タブは、一つの表示画面１００内において、複数の画面を切り替えて表示するために操作される操作子である。例えば、画像形成時の基本的な条件を設定する基本モード設定タブ、ユーザーが個別に設定を登録可能なユーザー機能登録タブ、各動作モードにおいて設定可能な機能のリストタブ、及び利用可能な各種プログラムの一覧を示すプログラムタブ（符号を省略）等がある。
【００２５】
なお、図３に示す操作画面１１０において、各ボタン１０１〜１０５及びタブ領域１０６の形状及びその配置は一例を示したものにすぎない。また、図３には図示してないが、操作画面１１０には、数字キー、メッセージ領域（いずれも不図示）が表示される。数字キーは、０〜９の数字を入力するためのボタンである。メッセージ領域は、ユーザーにジョブの進行状況を通知したり、必要な操作の実行を促したりするためのメッセージを表示する領域である。例えば、本実施形態では、ユーザーの入力したパスワードが登録されていないパスワードである場合、操作画面のメッセージ領域に、プリンター１の使用を許可されたユーザーでないことを知らせるメッセージが表示される。
【００２６】
タッチパネル６０は、ユーザーにより操作（指による押圧又は接触）される透明な位置検出装置である。タッチパネル６０は、表示部５０の上に配置される。表示部５０に操作画面１１０（図３参照）が表示された状態で、ユーザーがタッチパネル６０越しに操作画面１１０のボタン又はタブを操作すると、操作されたボタン又はタブの位置がタッチパネル６０で検出され、その位置に対応する位置情報が制御部９０に送信される。
通信部７０は、プリンター１の外部に設置された外部機器（例えば、パーソナルコンピューター等）に接続される。
【００２７】
記憶部８０は、ハードディスクや半導体メモリー等から構成される。記憶部８０は、上述した外部機器から供給された画像データを記憶する。また、記憶部８０は、プリンター１において利用される制御プログラム、及びこの制御プログラムによって利用されるデータ等を記憶する。
【００２８】
記憶部８０は、画像データ記憶部８１を備える。画像データ記憶部８１は、ボタンの位置がそれぞれ異なる操作画面１１０Ａ〜１１０Ｄ（後述）に関する画像データを、ユーザー情報と関連付けて記憶する。ここで、ユーザー情報とは、予め登録されたユーザーの識別番号及びパスワードである。また、ユーザーの識別番号は、操作画面の画像データが記憶されたアドレスと関連付けられている。このため、ユーザーの識別番号に関連付けられた画像データのアドレスを特定することにより、そのアドレスに記憶された操作画面の画像データを画像データ記憶部８１から取得することができる。
【００２９】
次に、操作画面１１０について説明する。図４（Ａ）〜（Ｄ）は、表示部５０に表示される操作画面１１０Ａ〜１１０Ｄを示す図である。
本実施形態では、図４（Ａ）〜（Ｄ）に示すように、ボタンの配置がそれぞれ異なる４種類の操作画面１１０Ａ〜１１０Ｄが設定されている。本実施形態では、４人のユーザーＡ〜Ｄに対して、それぞれ操作画面１１０Ａ〜１１０Ｄが割り当てられているものとする。なお、図４（Ａ）〜（Ｄ）では、説明に必要なボタン及びタブにのみ符号を付している。
【００３０】
また、操作画面１１０Ａ〜１１０Ｄにおいて、印刷開始ボタン１０１は、印刷時に必ず操作されるボタンであるため、他のボタンに比べて操作される頻度が高いと予想される。このため、印刷開始ボタン１０１は、それぞれ平面視において重ならない位置に配置されている。すなわち、印刷開始ボタン１０１は、図４（Ａ）では右下、図４（Ｂ）では左下、図４（Ｃ）では中央下、図４（Ｄ）では左上に、それぞれ配置される。なお、その他のボタンについては、それぞれ平面視において一部が重なる位置に配置されている場合もある。
【００３１】
また、操作画面１１０Ａ〜１１０Ｄにおいて、タブ領域１０６は、画面の上辺、下辺、右辺又は左辺のいずれかの辺に沿って配置される。すなわち、操作画面１１０Ａのタブ領域１０６は画面の左辺に配置され、操作画面１１０Ｂのタブ領域１０６は画面の右辺に配置されている。また、操作画面１１０Ｃのタブ領域１０６は画面の上辺に配置され、操作画面１１０Ｄのタブ領域１０６は、画面の下辺に配置されている。
【００３２】
画像データ記憶部８１（図２参照）は、図４に示す操作画面１１０Ａ〜１１０Ｄの画像データを、ユーザー毎に登録された識別番号及びパスワードに関連付けて記憶する。例えば、ユーザーＡの場合には、操作画面１１０Ａの画像データを、ユーザーＡの識別番号及びパスワードに関連付けて記憶する。
【００３３】
再び図２に戻って説明する。制御部９０は、用紙搬送部１０、画像形成部２０、定着部３０及び表示部５０（ＵＩ部４０）等を制御する。
ここで、用紙Ｔの片面のみにトナー画像を形成する場合を示して、制御部９０の機能（動作）の一例を説明する。まず、制御部９０は、通信部７０を介して上記の外部機器から入力された画像データを記憶部８０に一時記憶させる。制御部９０は、記憶部８０に一時記憶された画像データに基づいて用紙Ｔにトナー画像を形成するために、用紙搬送部１０と、画像形成部２０と、定着部３０とをそれぞれ制御する。すなわち、制御部９０は、第１送りローラー１１又は第２送りローラー１２を駆動させて、用紙Ｔを画像形成部２０に搬送させる。
【００３４】
また、制御部９０は、画像データに基づいて生成されたトナー画像を形成するためのデータをレーザースキャナーユニット２３に供給し、レーザースキャナーユニット２３から照射されるレーザー光により感光体ドラム２１に静電潜像を形成させる。制御部９０は、現像器２４より感光体ドラム２１にトナー画像を形成させ、このトナー画像を転写ローラー２８によって用紙Ｔに転写させる。制御部９０は、加熱回転体３１が所定の温度に加熱されるよう制御して、その加熱回転体３１により用紙Ｔに転写されたトナー画像のトナーを溶融させると共に、加熱回転体３１に圧接される加圧回転体３２によりトナーを用紙Ｔに定着させる。更に、制御部９０は、トナー画像が定着された用紙Ｔを用紙搬送部１０により用紙排出部１６から排出させる。
【００３５】
また、制御部９０は、表示制御部９１と、ユーザー判別部９２と、操作画面変更制御部９３と、ボタン特定部９４と、を備える。
表示制御部９１は、ユーザー毎に設定された操作画面１１０Ａ〜１１０Ｄ（図４参照）を表示部５０（ＵＩ部４０）に表示させる。表示制御部９１の動作は、操作画面変更制御部９３（後述）により制御される。
【００３６】
ユーザー判別部９２は、ＵＩ部４０から入力されたパスワードと、画像データ記憶部８１に予め登録されたユーザー毎のパスワードとに基づいて、プリンター１の使用を許可されたユーザーを判別する。また、ユーザー判別部９２では、プリンター１の使用を許可されたユーザーの識別番号を特定する。ユーザーの識別番号は、パスワードと関連付けて記憶されている。
【００３７】
操作画面変更制御部９３は、ユーザー判別部９２で特定されたユーザーの識別番号と関連付けられた操作画面の画像データを画像データ記憶部８１（記憶部８０）から取得し、その操作画面の画像データを表示部５０（ＵＩ部４０）の表示画面１００で表示させるよう表示制御部９１を制御する。
【００３８】
ボタン特定部９４は、タッチパネル６０から送信された位置情報と、画像データ記憶部８１に記憶されている操作画面１１０Ａ〜１１０Ｄとに基づいて、ユーザーの操作したボタンを特定する。すなわち、ボタン特定部９４は、タッチパネル６０から送信された位置情報から、操作画面１１０Ａの該当する位置を割り出し、その位置のボタンを特定する。
【００３９】
例えば、表示部５０に操作画面１１０Ａ（図４参照）が表示されている場合に、ユーザーにより操作画面１１０Ａの右下が操作されると、ボタン特定部９４は、タッチパネル６０から送信された位置情報に基づいて、操作画面１１０Ａの右下の位置に配置された印刷開始ボタン１０１を特定する。ボタン特定部９４において印刷開始ボタン１０１が操作されたことが特定されると、制御部９０は、感光体ドラム２１の表面にトナー画像を形成し、そのトナー画像を用紙Ｔに転写、定着させるように画像形成部２０を制御する。
【００４０】
なお、本実施形態では、プリンター１を使用するユーザーにより、それぞれ異なる操作画面１１０Ａ〜１１０Ｄが表示される。このため、ボタン特定部９４は、表示部５０に表示されている操作画面１１０Ａ〜１１０Ｄに基づいて、ユーザーにより操作された位置のボタンを特定する。例えば、表示部５０に操作画面１１０Ａ（図４（Ａ）参照）が表示されている場合に、ユーザーにより操作画面１１０Ａの右下が操作されると、ボタン特定部９４は、その位置に配置された印刷開始ボタン１０１を特定する。一方、表示部５０に操作画面１１０Ｃ（図４（Ｃ）参照）が表示されている場合に、ユーザーにより同じく操作画面１１０Ａの右下が操作された場合には、ボタン特定部９４は、その位置に配置された印刷停止ボタン１０２を特定する。
【００４１】
次に、本実施形態のプリンター１において、操作画面の切り替えを行う場合の動作について説明する。図５は、制御部９０が操作画面の切り替えを行う場合の動作を示すフローチャートである。
図５のステップＳＴ１０１において、ユーザー判別部９２は、ＵＩ部４０から入力されたパスワードを取得する。
【００４２】
ステップＳＴ１０２において、ユーザー判別部９２は、取得したパスワードと、画像データ記憶部８１に予め登録されたユーザー毎のパスワードとに基づいて、プリンター１の使用を許可されたユーザーか否かを判定する。このステップＳＴ１０２において、ユーザー判別部９２により、プリンター１の使用を許可されたユーザーである（ＹＥＳ）と判定された場合には、処理はステップＳＴ１０３へ移行する。また、ステップＳＴ１０２において、ユーザー判別部９２により、プリンター１の使用を許可されたユーザーでない（ＮＯ）と判定された場合には、処理はステップＳＴ１０７へ移行する。
【００４３】
ステップＳＴ１０３（ステップＳＴ１０２でＹＥＳ）において、ユーザー判別部９２は、プリンター１の使用を許可されたユーザーの識別情報を特定する。
ステップＳＴ１０４において、操作画面変更制御部９３は、ユーザー判別部９２で特定されたユーザーの識別番号と関連付けられた画像データのアドレスを特定する。
ステップＳＴ１０５において、操作画面変更制御部９３は、特定されたアドレスに記憶された操作画面の画像データを画像データ記憶部８１（記憶部８０）から取得する。
【００４４】
ステップＳＴ１０６において、操作画面変更制御部９３は、取得した操作画面の画像データを、表示部５０（ＵＩ部４０）の表示画面１００で表示させるよう表示制御部９１を制御する。これにより、表示部５０の表示画面１００には、そのユーザーに対して設定された操作画面１１０Ａ〜１１０Ｄ（図４参照）が表示される。
【００４５】
一方、ステップＳＴ１０７（ステップＳＴ１０２でＮＯ）において、ユーザー判別部９２は、表示部５０の表示画面１００に、プリンター１の使用を許可されたユーザーでないことを知らせるメッセージを表示させる。これにより、本フローチャートの処理は終了する。
【００４６】
以上説明したように、本実施形態のプリンター１によれば、以下の効果が奏される。
本実施形態のプリンター１では、ユーザー判別部９２で判別されたユーザーと関連付けられた操作画面を表示部５０（ＵＩ部４０）の表示画面１００に表示する。操作画面は、ユーザー毎に設定されているため、同じユーザーがプリンター１を使用する場合には、常に同じ操作画面が表示部５０に表示される。これによれば、ユーザーは、押し慣れた位置でボタンを操作できるので、ボタンの操作性を損なうことがない。また、ユーザー毎に、ボタンの位置がそれぞれ異なる操作画面を表示するので、ボタンの位置が同じ操作画面を常に表示する場合に比べて、タッチパネル６０（ＵＩ部４０）の同じ箇所が繰り返し押される可能性が少なくなる。このため、タッチパネル６０の故障を抑制することができる。従って、本実施形態によれば、タッチパネル６０の故障を抑制しつつ、ボタンの操作性に優れたＵＩ部４０を提供することができる。
【００４７】
また、ユーザー毎に設定した操作画面において、ユーザーによる操作の頻度が高いと予想される印刷開始ボタン１０１は、それぞれ平面視において重ならない位置に配置されている。このため、タッチパネル６０の同じ箇所が繰り返し押される可能性をより少なくすることができる。
【００４８】
また、ユーザー毎に設定した操作画面において、タブ領域１０６を構成する各タブは、画面の上辺、下辺、右辺又は左辺のいずれかの辺に沿って配置される。これによれば、タブ領域１０６は、操作画面毎に異なる位置に配置されるが、各タブはいずれかの辺に沿って表示される。このため、ユーザーは、目的のタブを速やかに操作することができる。
【００４９】
なお、本発明は、上述した実施形態に限定されることなく、種々の形態で実施することができる。
本実施形態で説明したプリンター１は、４人のユーザーＡ〜Ｄに対して、それぞれ操作画面１１０Ａ〜１１０Ｄを割り当てた形態である。しかし、本発明は、この形態に限定されることはない。操作画面の数に対してユーザーの数が多い場合には、一つの操作画面に複数のユーザーを割り当ててもよい。
【００５０】
本実施形態で説明したプリンター１は、パスワードの入力によりユーザーを判別する形態であるが、本発明は、この形態に限定されることなく、ＩＣカードによる認証や、指紋の認証によりユーザーを判別する形態であってもよい。
【００５１】
本実施形態では、本発明に係る表示入力装置をプリンターのＵＩ部に適用した形態について説明したが、本発明は、これに限定されることなく、コピー装置、ファクシミリ装置、スキャナ装置又はこれら機能を備えた複合機のＵＩ部、若しくは銀行のＡＴＭ（現金自動預け払い機）等の他の電子機器のＵＩ部にも適用することができる。
【符号の説明】
【００５２】
１…プリンター、４０…ユーザーインターフェース（ＵＩ）部（表示入力部）、５０…表示部、６０…タッチパネル（操作位置検出部）、８０…記憶部、８１…画像データ記憶部、９０…制御部、９１…表示制御部、９２…ユーザー判別部、９３…操作画面変更制御部、ボタン特定部９４、１００…表示画面、１０６…タブ領域、１１０，１１０Ａ〜１１０Ｄ…操作画面
【図１】
0005743778.tif 000002
【図２】
0005743778.tif 000003
【図３】
0005743778.tif 000004
【図４】
0005743778.tif 000005
【図５】
0005743778.tif 000006